(57)【要約】【課題】オプション部材にかかる荷重によって生じるモーメントに起因して、枠材からオプション部材が外れることをより確実に防止できる背凭れを提供する。【解決手段】下枠材２２３は、基部２３と、基部２３から前側に突出し先端部に膨出部２７が形成された突出部２４（第１係止部２４ａ）と、前側に開口する凹部２５（第２係止部２５ａ）と、を有し、ランバーサポート（オプション部材）４は、ランバーサポート本体部（本体部）４１と、下枠材（枠材）２２３に取り付けられた取付部４２と、を有し、取付部４２は、膨出部２７に前側から嵌合し突出部２４を上下方向から挟持する第１被係止部６３と、凹部２５に前側から挿入される第２被係止部５１２と、を有し、凹部２５の内面には、凹部２５に挿入された第２被係止部５１２が膨出部２７を軸として凹部２５から離間する側に回動した際の軌跡Ｌ１と交差する回動拘束面２８が形成されている。【選択図】図１０
2018174992.tif 000002
【特許請求の範囲】
【請求項１】
着座者の荷重を受ける面材と、
前記面材の外周端部を支持する枠材と、
前記枠材に取り付けられ前記面材の面直方向の一方側から他方側に向かう荷重を受けるオプション部材と、を有する背凭れにおいて、
前記枠材は、前記面材を支持する基部と、
前記基部から前記面直方向の一方側に向かって突出し先端部に基端側よりも膨出する膨出部が形成された第１係止部と、
前記基部と前記第１係止部とに囲まれ前記面直方向の一方側に開口する凹状の第２係止部と、を有し、
前記オプション部材は、前記面直方向の一方側から他方側に向かう荷重を受ける本体部と、
前記枠材に取り付けられて前記本体部を支持する取付部と、を有し、
前記取付部は、前記膨出部に前記面直方向の一方側から嵌合し前記第１係止部を前記面直方向に直交する方向から挟持する第１被係止部と、
前記第１被係止部に対して前記本体部と離間する側に前記第１被係止部と連続して形成されるとともに前記第２係止部の内部に前記面直方向の一方側か挿入される第２被係止部と、を有し、
前記第２係止部の内面には、前記第２係止部に挿入された前記第２被係止部が前記膨出部を軸として前記第２係止部から離間する側に回動した際の軌跡と交差する回動拘束面が形成されていることを特徴とする背凭れ。
【請求項２】
前記取付部は、互いに連結される第１取付部材と第２取付部材とを有し、
前記第１被係止部は、第１取付部材および第２取付部材に設けられて、前記第１取付部材と前記第２取付部材とが第１係止部を挟持していて、
前記第２被係止部は、前記第１取付部材に設けられていることを特徴とする請求項１に記載の背凭れ。
【請求項３】
前記第１被係止部は、前記面直方向の他方側に向かって開口し前記第１係止部に前記面直方向の一方側から嵌合する凹部を有することを特徴とする請求項１又は２に記載の背凭れ。
【発明の詳細な説明】
【技術分野】
【０００１】
本発明は、椅子の背凭れに関する。
【背景技術】
【０００２】
従来、椅子の背凭れとして、ランバーサポートやヘッドレスト、ハンガーなどのオプション部材を有する背凭れが知られている。
例えば、特許文献１および２に開示された背凭れは、着座者の荷重を受ける面材を支持する枠材にオプション部材が取り付けられている。オプション部材は、枠材に取り付けられる取付部を有している。特許文献１および２に開示された取付部は、２つの部材が枠材を挟持した状態でボルト接合されるように構成されている。
枠材には、面材を支持する面材支持部が形成されているため、取付部には、面材支持部と干渉しないように面材支持部が配置される開口部が形成されている。
また、特許文献２に開示された背凭れは、取付部に形成された凸部が枠材に形成された溝部に挿入された状態で枠材に取り付けられるように構成されている。
【先行技術文献】
【特許文献】
【０００３】
【特許文献１】特開２０１５−１４４６４３号公報
【特許文献２】特許第５４７４１１８号公報
【発明の概要】
【発明が解決しようとする課題】
【０００４】
しかしながら、オプション部材に荷重がかかり、その荷重によるモーメントが取付部に対して枠材と離間するように回動する方向に作用すると、取付部の開口部を介して、取付部が枠材から外れる方向に力が作用する。このため、オプション部材にかかる荷重によって生じるモーメントに起因してオプション部材が枠材から外れることをより確実に防止する構造が望まれている。
また、特許文献２に開示された背凭れのように、取付部に形成された凸部が枠材に形成された溝部に挿入されていても、取付部の凸部の突出方向が作用するモーメントの方向と逆方向となってしまう。このため、オプション部材にかかる荷重によって生じるモーメントに起因して凸部が溝部から外れてしまい、オプション部材が枠材から外れることをより確実に防止する構造が望まれている。
【０００５】
そこで、本発明は、オプション部材にかかる荷重によって生じるモーメントに起因して枠材からオプション部材が外れることをより確実に防止できる背凭れを提供することを目的とする。
【課題を解決するための手段】
【０００６】
上記目的を達成するため、本発明に係る背凭れは、着座者の荷重を受ける面材と、前記面材の外周端部を支持する枠材と、前記枠材に取り付けられ前記面材の面直方向の一方側から他方側に向かう荷重を受けるオプション部材と、を有する背凭れにおいて、前記枠材は、前記面材を支持する基部と、前記基部から前記面直方向の一方側に向かって突出し先端部に基端側よりも膨出する膨出部が形成された第１係止部と、前記基部と前記第１係止部とに囲まれ前記面直方向の一方側に開口する凹状の第２係止部と、を有し、前記オプション部材は、前記面直方向の一方側から他方側に向かう荷重を受ける本体部と、前記枠材に取り付けられて前記本体部を支持する取付部と、を有し、前記取付部は、前記膨出部に前記面直方向の一方側から嵌合し前記第１係止部を前記面直方向に直交する方向から挟持する第１被係止部と、前記第１被係止部に対して前記本体部と離間する側に前記第１被係止部と連続して形成されるとともに前記第２係止部の内部に前記面直方向の一方側か挿入される第２被係止部と、を有し、前記第２係止部の内面には、前記第２係止部に挿入された前記第２被係止部が前記膨出部を軸として前記第２係止部から離間する側に回動した際の軌跡と交差する回動拘束面が形成されていることを特徴とする。
【０００７】
オプション部材の本体部に面材の面直方向（面材に直交する方向）の一方側から他方側に向かう荷重が作用すると、この荷重が本体部を介して取付部にも作用する。取付部の第１被係止部は、枠材の第１係止部を挟持していて第１係止部に係止されているため、面直方向の一方側から他方側への変位が拘束される。このため、取付部には、第１係止部の膨出部を軸として回動する方向のモーメントが作用することになる。このモーメントによって生じる力は、取付部における第１係止部の膨出部よりも本体部と連結されている側には面直方向の一方側から他方側に向かうように作用するため、その反対側となる第２被係止部には、面直方向の他方側から一方側に向かうように作用することになる。これにより、第２被係止部は、第１係止部の膨出部を軸として面直方向の他方側から一方側に向かうよう（第２係止部から離間するように）に回動しようとする。
【０００８】
本発明では、第２被係止部が挿入された第２係止部に回動拘束面が形成されている。これにより、第２被係止部は、モーメントによって生じる力によって第２係止部から離間する方向に回動しようとすると回動拘束面と当接するため、回動が拘束されて第２係止部から外れることがより確実に防止される。換言すれば、オプション部材に入力される荷重が大きくなればなるほど、このモーメントが大きくなり、回動拘束面により強く接するようになる。その結果、オプション部材の取付部が枠材から外れることが防止され、オプション部材が枠材から外れることがより確実に防止できる。
【０００９】
また、第１被係止部は、第１係止部の膨出部に面直方向の一方側から嵌合するとともに、第１係止部を面直方向に直交する方向から挟持している。これにより、面直方向の一方側から他方側に向かってオプション部材にかかった荷重によって第１被係止部が第１係止部から外れることをより確実に防止できる。
【００１０】
また、本発明に係る背凭れでは、前記取付部は、互いに連結される第１取付部材と第２取付部材とを有し、前記第１被係止部は、第１取付部材および第２取付部材に設けられて、前記第１取付部材と前記第２取付部材とが第１係止部を挟持していて、前記第２被係止部は、前記第１取付部材に設けられていてもよい。
取付部は、それぞれ枠材に取り付けられる２つの部材で構成されているため、枠材に対して容易に取り付けることができる。例えば、枠材に対して一方側に第１取付部材を配置して、他方側に第２取付部材を配置し、第１取付部材と第２取付部材とを連結すればよいため、１つの部材を変形させながら枠材に取り付ける場合と比べて枠材に取付部を容易に取り付けることができる。
【００１１】
また、本発明に係る背凭れでは、前記第１被係止部は、前記面直方向の他方側に向かって開口し前記第１係止部に前記面直方向の一方側から嵌合する凹部を有していてもよい。
このような構成とすることにより、第１被係止部を第１係止部に容易かつ確実に係止させることができる。
【発明の効果】
【００１２】
本発明によれば、オプション部材にかかる荷重によって生じるモーメントに起因して枠材からオプション部材が外れることをより確実に防止できる。
【図面の簡単な説明】
【００１３】
【図１】本発明の実施形態に係る背凭れが設けられた椅子の一例を示す斜視図である。
【図２】本発明の実施形態に係る背凭れが設けられた椅子の一例を示す他の斜視図である。
【図３】本発明の実施形態に係る背凭れの一部を示す斜視図である。
【図４】本発明の実施形態に係る背凭れの下枠材を説明する断面斜視図である。
【図５】本発明の実施形態に係る背凭れの分解斜視図である。
【図６】本発明の実施形態に係る背凭れの下部側を示す正面図である。
【図７】（ａ）は本発明の実施形態による第１取付部材の正面図、（ｂ）は（ａ）の側面図、（ｃ）は（ａ）の背面図である。
【図８】図６のＡ−Ａ線断面図である。
【図９】図６のＢ−Ｂ線断面図である。
【図１０】図６のＣ−Ｃ線断面図である。
【図１１】（ａ）は本発明の実施形態による第２取付部材の正面図、（ｂ）は（ａ）の側面図、（ｃ）は（ａ）の背面図である。
【図１２】図６のＤ−Ｄ線断面図である。
【図１３】図６のＥ−Ｅ線断面図である。
【図１４】下枠材に取り付けられた第２取付部材を説明する図である。
【図１５】下枠材に取り付けられた第２取付部材を説明する他の図である。
【発明を実施するための形態】
【００１４】
以下、本発明の実施形態に係る背凭れについて、図１乃至図１５に基づいて説明する。
図１に示す椅子１１は、床面１２の上に設置される脚部１３と、脚部１３の上部に設置されたボックス状の支基１４と、支基１４の上部に取り付けられた座受け部材１５と、座受け部材１５にスライド可能に支持され着座者が着座可能な座体１６と、支基１４から延び座体１６に着座した着座者の背中を支持可能な背凭れ１と、を有している。この椅子１１の背凭れ１が本発明の実施形態に係る背凭れとなっている。
座体１６に着座した着座者が前を向く側を前側とし、その反対側を後側とし、前側と後側とを結ぶ方向を前後方向とする。前後方向に直交する水平方向を幅方向とし、上下を結ぶ方向を上下方向とする。
【００１５】
脚部１３は、キャスタ１３１ａ付きの多岐脚１３１と、多岐脚１３１の中央部より起立し昇降機構であるガススプリング（不図示）を内蔵する脚柱１３２と、を有している。
脚柱１３２の下部を構成する外筒１３３は、多岐脚１３１に回転不能に嵌合して支持されている。脚柱１３２の上部を構成する内筒１３４は、上端部に支基１４を固定して支持するとともに、下部が外筒１３３に水平方向で回転可能に支持されている。
【００１６】
支基１４には、脚柱１３２の昇降調整機構と背凭れ１の傾動調整機構が内蔵されている。
座受け部材１５は、支基１４の上部に取り付けられた４本のリンクアーム（不図示）と、リンクアームどうしを連結する左右一対の固定フレーム（不図示）と、を有している。
座体１６は、座フレーム１６１と、座フレーム１６１に張設された面材１６２と、を有している。
【００１７】
背凭れ１は、支基に枢支される強度部材としての背凭れ支持部材２１と、背凭れ支持部材の前側に支持される背凭れ本体２２と、背凭れ本体２２の一部をなし背凭れ本体２２の外周形状を画定する背枠部材２２ａの内周空間に架設される面材３と、背凭れ支持部材２１に取り付けられたランバーサポート（オプション部材）４と、を有している。図１および図２以外では、面材３の図示を省略している。
ランバーサポート４は、椅子１１に着座した着座者の腰にあたる位置に配置されている。本実施形態では、ランバーサポート４は、前後方向（面直方向）の前側（一方側）から後側（他方側）に向かう着座者の荷重を受けるように構成されている。
【００１８】
背凭れ支持部材２１は、下辺部２１１と、側辺部２１２と、上辺部２１３と、を有している。下辺部２１１と側辺部２１２と上辺部２１３とは、例えばアルミ等の金属または所定の強度を有する樹脂等により一体に形成されている。
【００１９】
下辺部２１１は、支基１４内の傾動調整機構に連結され、支基１４の後部の左右両側からそれぞれ延びて２つ設けられている。下辺部２１１は、上方に向かうに従って漸次後方に向かうように傾斜している。また、下辺部２１１には、座体１６の側方に配置される肘掛けがそれぞれ設けられている。
側辺部２１２は、２つの下辺部２１１部の上端部それぞれに連続して形成されて２つ設けられている。側辺部２１２は、それぞれ上方に向かうに従って漸次幅方向の外側（互いに離間する側）に向かうように傾斜している。
側辺部２１２の下部側は、上方に向かうに従って漸次前方に向かうように傾斜している。側辺部２１２の上部側は、上方に向かうに従って漸次後方に向かうように傾斜している。２つの側辺部２１２の上部どうしは、上辺部２１３によって連結されている。
【００２０】
背凭れ本体２２は、背凭れ１の幅方向に離間して配置された一対の縦枠材２２１と、一対の縦枠材２２１の上端どうしを連結する上枠材２２２と、一対の縦枠材２２１の下端どうしを連結する下枠材（枠材）２２３と、を有している。一対の縦枠材２２１、上枠材２２２、および下枠材２２３は、例えば樹脂等で一体として環状に形成され、面材３から作用する力に応じて弾性変形可能に構成されている。一対の縦枠材２２１、上枠材２２２、および下枠材２２３を合せて背枠部材２２ａとする。
【００２１】
一対の縦枠材２２１、上枠材２２２および下枠材２２３それぞれの外周縁部には、背凭れ１の内方に向かって凹む溝部２２４が周方向に連続して形成されている。溝部２２４は、面材３の外周端部が巻き込まれて、面材３を係止するように構成されている。面材３は、背凭れ本体２２の前側に配置され、外周縁部近傍が背凭れ本体２２の外側に回り込むようにして巻き込まれて、外周縁部が溝部２２４に係合している。面材３は、背凭れ１に寄りかかった着座者の荷重を受けるように構成されている。
【００２２】
一対の縦枠材２２１は、それぞれ上下方向に沿って延びている。詳細には、一対の縦枠材２２１は、下方に向かうに従って漸次幅方向の内側に向かうように傾斜している。図３に示すように、一対の縦枠材２２１（図３では一方の縦枠材２２１のみを示している）は、それぞれ幅方向の外側に配置され溝部２２４が形成された基部２２１ａと、基部２２１ａの後縁部から幅方向の内側に向かうに従って漸次前方に向かうように突出する突出部２２１ｂと、を有している。基部２２１ａおよび突出部２２１ｂは、それぞれ一対の縦枠材２２１の長さ方向（高さ方向）全体にわたって形成されている。
図２に示すように、一対の縦枠材２２１それぞれの上部と下部には、それぞれ、後方に向かって延びる上部連結部２２５および下部連結部２２６が一体に形成されている。上部連結部２２５および下部連結部２２６の先端部（後端部）は、それぞれ背凭れ支持部材２１の側辺部２１２に連結されている。
図１に示すように、上枠材２２２は、幅方向に延びていて幅方向の両端部が一対の縦枠材２２１の上端部と連結されている。上枠材２２２は、幅方向の中央部が両端部よりも上側に突出するように湾曲している。
【００２３】
下枠材２２３は、幅方向に延びていて幅方向の両端部が一対の縦枠材２２１の下端部と連結されている。下枠材２２３は、幅方向の中央部が両端部よりも下側に突出するように湾曲している。下枠材２２３は、ランバーサポート４が着脱可能に構成されている。
図３および図４に示すように、下枠材２２３は、下部側に配置され溝部２２４が形成された基部２３と、基部２３の後縁部から上方に向かうに従って漸次前方に向かうように突出する突出部２４と、基部２３と突出部２４に囲まれた凹状の凹部２５と、を有している。基部２３、突出部２４および凹部２５は、それぞれ下枠材２２３の長さ方向（幅方向）全体にわたって形成されている。
【００２４】
基部２３の上面２３ａのうち突出部２４よりも前側に配置されている部分は、上側を向く面となるように形成されている。基部２３に形成された溝部２２４は、下側かつ後側となる斜め後ろ方向に開口している。
基部２３は、幅方向の両端部がそれぞれ縦枠材２２１の基部２２１ａの下端部と連続していて一体に形成されている。
【００２５】
突出部２４は、基端側（基部２３側）に配置され基部２３から突出する方向に沿って厚さが略均一な板状に形成された板状部２６と、先端部分に配置され板状部２６よりも厚さが厚く膨出する膨出部２７と、を有している。基部２３、板状部２６および膨出部２７は、一体に形成されている。
板状部２６の前側かつ下側を向く面を前面２６ａとし、後側かつ上側を向く面を後面２６ｂとする。板状部２６の前面２６ａは、基部２３の上面２３ａと連続している。
膨出部２７の前面は、前側に突出するように湾曲している。
突出部２４は、幅方向の両端部がそれぞれ縦枠材２２１の突出部２２１ｂの下端部と連続していて一体に形成されている。
【００２６】
凹部２５は、突出部２４の板状部２６の前面２６ａ、および基部２３の上面２３ａによって形成された凹部で、前側に開口している。凹部２５を形成する基部２３の上面２３ａは、本発明の回動拘束面２８を構成している。回動拘束面２８については後述する。
突出部２４のうちの下枠材２２３の幅方向の中間部に形成された部分に、後述する第１被係止部６３が係止されている。突出部２４のうちの幅方向の中間部で第１被係止部６３が係止される部分を第１係止部２４ａとする。
凹部２５のうちの下枠材２２３の幅方向の中間部に形成された部分に、後述する第２被係止部５１２が係止されている。凹部２５のうちの幅方向の中間部で第２被係止部５１２が係止される部分を第２係止部２５ａとする。
【００２７】
凹部２５には、第２係止部２５ａの両側方それぞれに壁部２５ｂ，２５ｂが形成されている。壁部２５ｂは、第２係止部２５ａに係止された第２被係止部５１２の幅方向の移動を規制するために設けられている。
壁部２５ｂは、板面が略幅方向を向く板状に形成されていて、前縁部以外が凹部２５の内面と連続している。壁部２５ｂは、基部２３および突出部２４と一体に形成されている。
【００２８】
図３、図５および図６に示すように、ランバーサポート４は、椅子１１（図１参照）に着座した着座者の荷重を受けるランバーサポート本体部（本体部）４１と、下枠材２２３に取り付けられてランバーサポート本体部４１を支持する取付部４２と、取付部４２を後側から覆う背面カバー４３と、を有している。
【００２９】
ランバーサポート本体部４１は、背凭れ１の面材３の後方に沿うように配置されている。ランバーサポート本体部４１は、背凭れ１の幅方向中央部に配置されるメインサポート部４１１と、メインサポート部４１１の幅方向両側から幅方向外方に向かってそれぞれ延び、ランバーサポート本体部４１を昇降させる昇降操作部４１２と、メインサポート部４１１から下方に延びて、取付部４２の高さ調整部７が取り付けられるアーム部４１３と、を有している。これらのメインサポート部４１１、昇降操作部４１２およびアーム部４１３は、一体に形成されている。
なお、ランバーサポート本体部４１の形状や構造については、上記の形態に限らず、適宜変更することが可能である。
【００３０】
取付部４２は、下枠材２２３の前側に配置され下枠材２２３に取り付けられる第１取付部材５と、下枠材２２３の後側に配置され下枠材２２３に取り付けられる第２取付部材６と、ランバーサポート本体部４１に取り付けられてランバーサポート本体部４１とともに第１取付部材５および第２取付部材６に高さ調整可能に支持される高さ調整部７と、を有している。
第１取付部材５と、第２取付部材６とは、互いの幅方向の中心が一致するように前後方向に重なって配置されている。
【００３１】
図７に示すように、第１取付部材５は、上下方向に延びる第１基部５２と、第１基部５２の下縁部から後側に向かって漸次下側に向かう斜め方向に延びる第１延出部５１と、を有している。
【００３２】
図８乃至図１０に示すように、第１延出部５１は、下枠材２２３の突出部２４のうちの下枠材２２３の幅方向の中間部に形成された部分（第１係止部２４ａ）の前側で凹部２５のうちの下枠材２２３の幅方向の中間部に形成された部分（第２係止部２５ａ）の内部に配置されている。
第１延出部５１は、突出部２４の膨出部２７の前面および下面と当接するように配置される第１当接部５１１と、第１当接部５１１から下側に向かって漸次に後側に向かうように延びて凹部２５の内部に配置される第２被係止部５１２と、を有している。
【００３３】
第２被係止部５１２の先端部分は、凹部２５の内面と当接していて、詳しくは、凹部２５を形成する突出部２４の板状部２６の前面２６ａおよび回動拘束面２８（基部２３の上面２３ａ）と当接している。
回動拘束面２８は、凹部２５の内部に配置された第２被係止部５１２が膨出部２７を中心として前側に回動した際の第２被係止部５１２の軌跡Ｌ１と交差するように形成されている。
【００３４】
図７に示すように、第１基部５２は、上方に向かって幅方向の寸法が漸次小さくするよう形成されている。図１０に示すように、第１基部５２の下部側には、幅方向に間隔をあけて２つのボルト孔５２１が形成されている。この２つのボルト孔５２１には、それぞれ第１基部５２と第２取付部材６の第２基部６２とを接合するボルト５２２が挿通される。第１基部５２の後面には、第２取付部材６の第２基部６２の前面に形成された第２基部側当接部６２３と当接する第１基部側当接部５２３が形成されている。
第１基部５２には、背面カバー４３と係合される背面カバー係合部（不図示）が適宜形成されている。
【００３５】
図７および図８に示すように、第１基部５２には、幅方向の略中央部に上下方向に延びるスリット５３が形成され、このスリット５３の幅方向の両側に一対のガイド壁５４が形成されている。
図８に示すように、スリット５３およびガイド壁５４の前方には、ランバーサポート本体部４１のアーム部４１３が配置され、スリット５３およびガイド壁５４の後方には高さ調整部７が配置されるように構成されている。ランバーサポート本体部４１のアーム部４１３と、高さ調整部７とは、スリット５３を介して連結されている。
【００３６】
図７および図８に示すように、一対のガイド壁５４それぞれの後面には、幅方向の内側（幅方向に互いに近接する側）に後面が平坦面となるスライド面５４１が形成され、幅方向の外側（幅方向に互いに離間する側）に後方に突出するノッチ５４２が上下方向全体にわたって間隔をあけて複数形成されたノッチ面５４３が形成されている。
【００３７】
図７に示すように、本実施形態では、第１延出部５１と第１基部５２の下部側に、前後方向に貫通する分割スリット５５１が幅方向に間隔をあけて４つ形成されている。４つの分割スリット５５１は、それぞれ第１延出部５１の下端部（第２被係止部５１２の先端部）から第１基部５２の高さ方向の中間部にわたるように延びている。第１延出部５１および第１基部５２の下部側は、幅方向に間隔をあけて４つのスリットが形成されていることにより、幅方向に５つに分割されている。５つに分割されたそれぞれを分割アーム部５５２とすると、５つの分割アーム部５５２それぞれの第１当接部５１１が突出部２４の膨出部２７（図８乃至図１０参照）の前面および下面と当接するように配置され、それぞれの第２被係止部５１２が凹部２５（図８乃至図１０参照）の内部に配置されるように構成されている。
【００３８】
第１延出部５１と第１基部５２の連続部分には、４つの分割スリット５５１のうちの幅方向の両端に配置された２つの分割スリット５５１それぞれと連続し分割スリット５５１の幅よりも大きく開口されたフック部用開口部５５３が形成されている。フック部用開口部５５３には、後述する第２取付部材６のフック部６１２（図１１参照）が配置されるように構成されている。
【００３９】
図１１に示すように、第２取付部材６は、上下方向に延びる第２基部６２と、第２基部６２の下縁部から後側に向かって漸次下側に向かう斜め方向に延びる第２延出部６１と、を有している。
【００４０】
図８乃至図１０に示すように、第２延出部６１は、下枠材２２３の突出部２４のうちの下枠材２２３の幅方向の中間部に形成された部分（第１係止部２４ａ）の板状部２６の後面２６ｂに沿って配置されている。第２延出部６１は、幅方向の中間部に形成されて突出部２４の板状部２６の後面２６ｂと当接するように配置される第２当接部６１１と、幅方向の両端部にそれぞれ形成されて下枠材２２３の突出部２４の膨出部２７に引っ掛けられるフック部６１２（図１１および図１２参照）と、を有している。
第２当接部６１１およびフック部６１２は、それぞれの上端部が第２基部６２と接続されている。第２当接部６１１とフック部６１２とは直接連結されていない。
【００４１】
図１０に示すように、第２当接部６１１は、幅方向の両端部分それぞれにおいて、前端部分が突出部２４の膨出部２７の上面に当接していて、前端部分よりも後側の部分が突出部２４の板状部２６の後面２６ｂと当接している。第２当接部６１１の前端部は、第１取付部材５の第１当接部５１１と当接している。
【００４２】
このため、突出部２４の膨出部２７は、幅方向の両端部分それぞれにおいて第１当接部５１１および第２当接部６１１に囲まれていて、突出部２４の板状部２６は、第１当接部５１１と第２当接部６１１とに上下から挟まれている。この状態で第１取付部材５と第２取付部材６とが接合されることで、第１当接部５１１および第２当接部６１１が突出部２４に係止されるように構成されている。ここで、第１当接部５１１および第２当接部６１１の幅方向の両端部分それぞれを合せて第１被係止部６３とする。
第１被係止部６３には、膨出部２７が嵌合する後側に開口する凹部６３１が形成されている。
なお、第２当接部６１１は、幅方向の両端部分それぞれを除いた幅方向の中央部近傍では、突出部２４の板状部２６の後面２６ｂとは当接しているが、突出部２４の膨出部２７とは当接していない。
【００４３】
図１１および図１２に示すように、フック部６１２は、後側に開口する凹部６１２ａが形成されている。フック部６１２は、下枠材２２３の前側に配置され、凹部６１２ａに膨出部２７が入り込むように突出部２４の膨出部２７に前側から引っ掛けられるように構成されている。下枠材２２３の前側に配置されたフック部６１２は、第１取付部材５のフック部用開口部５５３の内部に配置されている。
【００４４】
第２基部６２は、ランバーサポート本体部４１のアーム部４１３の幅寸法よりも大きく、第１取付部材５の第１基部５２の幅寸法よりも小さく形成されている。第２基部６２は、第１基部５２よりも高さ寸法が小さく形成されている。第２基部６２は、第１基部５２の下部側を後側から覆うように配置される。
第２基部６２の前面には、幅方向の略中央部に後側に凹んだ溝部６２１が高さ方向全体にわたって形成されている。溝部６２１は、第１基部５２のスリット５３およびガイド壁５４の後側に配置される。
第２基部６２には、第１基部５２と第２基部６２とを連結するボルト５２２が挿通されるボルト孔６２２が形成されている。第２基部６２の前面には、第１取付部材５の第１基部５２の後面に形成された第１基部側当接部５２３と当接する第２基部側当接部６２３が形成されている。なお、第１基部側当接部５２３と第２基部側当接部６２３とは、互いに平面状に形成されていてもよいし、互いに嵌合する形状に形成されていてもよい。
第２基部６２には、背面カバー４３と係合される背面カバー係合部（不図示）が適宜形成されている。
【００４５】
図８および図９に示すように、高さ調整部７は、第１取付部材５の第１基部５２のスリット５３およびガイド壁５４と第２取付部材６の第２基部６２の溝部６２１が形成された部分との間に設けられている。
図５、図８および図９に示すように、高さ調整部７は、スライドプレート７１（図５および図８参照）と、スライドプレート７１の前後方向から見た外周部に接合されるポジショナー７２と、を有している。
【００４６】
スライドプレート７１は、外形が前後方向から見て上下方向に長い略長方形となるブロック状に形成されている。スライドプレート７１には、ランバーサポート本体部４１のアーム部４１３に接合されるためボルト７１１が挿通されるボルト孔７１２が形成されている。スライドプレート７１は、一対のスライド面５４１に沿って上下方向にスライド可能に構成されている。
【００４７】
ポジショナー７２は、前後方向に貫通する開口部７２１が形成された枠状に形成されている。ポジショナー７２の開口部７２１には、スライドプレート７１が嵌合するように構成されている（図１３参照）。ポジショナー７２とスライドプレート７１とは、互いに嵌合した状態で第１取付部材５の第１基部５２のスリット５３およびガイド壁５４と第２取付部材６の第２基部６２の溝部６２１が形成された部分との間に配置されている。
ポジショナー７２には、幅方向の両側に前側に突出する突起部７２２が形成されている。ポジショナー７２は、一対のノッチ面５４３に沿って上下方向にスライド可能に構成され、突起部７２２がノッチ面５４３の複数のノッチ５４２にそれぞれ係合可能に構成されている。
【００４８】
ランバーサポート本体部４１のアーム部４１３と高さ調整部７とは、第１基部５２のスリット５３およびガイド壁５４を挟んで対向し、スリット５３を貫通する上下一対のボルト７１１によって互いに連結されている。これにより、アーム部４１３および高さ調整部７は、スリット５３に沿って上下方向にスライド移動可能となっている。高さ調整部７は、ポジショナー７２の上端部がスリット５３の上壁と当接することによって上側への移動が規制され、ポジショナー７２の下端部がスリット５３の下壁と当接することによって下側への移動が規制されている。これにより、ランバーサポート本体部４１は、上下方向の移動範囲が規制されている。
【００４９】
高さ調整部７が移動領域の下部側に配置されている場合は、高さ調整部７の後側には第２取付部材６の第２基部６２が配置され、移動領域の上部側に配置されている場合は、後側に背面カバー４３が配置されている。
高さ調整部７のポジショナー７２の突起部７２２が所望の高さのノッチ５４２に係合することで、アーム部４１３および高さ調整部７がスリット５３に沿った複数段階の所望の高さ位置に固定される。このようにして、ランバーサポート本体部４１を所望の高さに配置することができる。
【００５０】
背面カバー４３は、第１基部５２の背面カバー係合部および第２基部６２の背面カバー係合部と係合可能な係合部（不図示）を有していて、係合部が第１基部５２の背面カバー係合部および第２基部６２の背面カバー係合部と係合することで、第１取付部材５および第２取付部材６に装着されるように構成されている。
【００５１】
次に、ランバーサポート４を下枠材２２３に装着する方法について説明する。
まず、第１取付部材５および第２取付部材６を下枠材２２３に取り付ける。
第１取付部材５を、下枠材２２３の前側に配置し、第１当接部５１１を下枠材２２３の突出部２４の膨出部２７に当接させるとともに、第２被係止部５１２を下枠材２２３の凹部２５に挿入する。
第１取付部材５の設置と前後して、図１４および図１５に示すように、第２取付部材６を下枠材２２３の後側に配置し、第２当接部６１１を下枠材２２３の突出部２４の板状部２６の後面２６ｂに当接させる。なお、図１４および図１５では第１取付部材５の図示を省略している。
また、第２取付部材６のフック部６１２を下枠材２２３の突出部２４の膨出部２７に前側から引っ掛けて、第１取付部材５のフック部用開口部５５３の内部に配置する。
そして、第１基部５２の第１基部側当接部５２３と第２基部６２の第２基部側当接部６２３とを前後方向に当接させ、第１基部５２と第２基部６２とボルト５２２で締結する。
このように第１取付部材５と第２取付部材６とが接合されると、第１取付部材５および第２取付部材６の位置が固定され、第１取付部材５および第２取付部材６が下枠材２２３に取り付けられた状態となる。このとき、第２被係止部５１２の先端部分は、基部２３の上面２３ａ（回動拘束面２８）と当接している。
【００５２】
続いて、第１取付部材５および第２取付部材６にランバーサポート本体部４１を取り付ける。
第１基部５２のスリット５３の前側にランバーサポート本体部４１を配置し、第１基部５２のスリット５３の後側に、高さ調整部７を配置する。そして、スリット５３を介してランバーサポート本体部４１のアーム部４１３と高さ調整部７とをボルト７１１で接合する。高さ調整部７のポジショナー７２の突起部７２２をガイド壁５４のノッチ５４２と係合させる。
【００５３】
続いて、背面カバー４３を設置する。第１基部５２および第２基部６２の後方に背面カバー４３を配置し、第１基部５２および第２基部６２に係合させる。これにより、ランバーサポートが背凭れ本体２２に装着される。
このようにしてランバーサポート４が下枠材２２３に取り付けられる。
【００５４】
次に、上述した本実施形態による背凭れ１の作用・効果について図面を用いて説明する。
上述した本実施形態による背凭れ１では、椅子１１に着座した着座者が背凭れ１に寄りかかると、ランバーサポート本体部４１に後側に向かう荷重が作用し、ランバーサポート本体部４１から取付部４２に後側に向かう荷重が作用する。
取付部４２の第１被係止部６３は、下枠材２２３の第１係止部２４ａの突出部２４を挟持していて突出部２４に係止されているため、後側への変位が拘束される。このため、取付部４２には、突出部２４の膨出部２７を軸として回動する方向のモーメントが作用することになる。このモーメントによって生じる力は、取付部４２における突出部２４の膨出部２７よりもランバーサポート本体部４１と連結されている側（上側）には後側に向かうように作用するため、その反対側となる第２被係止部５１２には、前側に向かうように作用することになる。これにより、第２被係止部５１２は、突出部２４の膨出部２７を軸として前側に向かうよう（凹部２５から離間するように）に回動しようとする。
【００５５】
本実施形態では、第２被係止部５１２が挿入された第２係止部２５ａの凹部２５に回動拘束面２８が形成されている。上述したが、回動拘束面２８は、凹部２５の内部に配置された第２被係止部５１２が膨出部２７を中心として前側に回動した際の第２被係止部５１２の軌跡と交差するように形成されている。これにより、第２被係止部５１２は、モーメントよって生じる力によって凹部２５から離間する方向に回動しようとすると回動拘束面と当接するため、回動が拘束されて凹部２５から外れることがより確実に防止される。その結果、取付部４２が下枠材２２３から外れることがより確実に防止され、ランバーサポート４が下枠材２２３から外れることをより確実に防止できる。
【００５６】
第１係止部２４ａの突出部２４は、基部２３の後縁部から上方に向かうに従って漸次前方に向かうように突出している。これにより、突出部２４は、ランバーサポート４に負荷がかかり前方から荷重が作用するとその荷重に対して突っ張ることになる。また、突出部２４は、両端部が一対の縦枠材２２１の突出部２２１ｂに連接されている。これにより、第１係止部２４ａの突出部２４に作用する荷重は、一対の縦枠材２２１の突出部２２１ｂにも伝達することになる。このため、第１係止部２４ａの突出部２４にランバーサポート４から大きな荷重が作用した場合でも、ランバーサポートを確実に支持することができて、ランバーサポート４が下枠材２２３から外れることをより確実に防止できる。
【００５７】
また、第１被係止部６３は、突出部２４の膨出部２７に前側から嵌合するとともに、突出部２４の板状部２６を上下方向から挟持している。これにより、前側から後側向かってランバーサポート本体部４１にかかった荷重によって第１被係止部６３が突出部２４から外れることをより確実に防止できる。
また、第１被係止部６３は、後側に向かって開口し突出部２４に前側から嵌合する凹部６３１を有することにより、第１被係止部６３を突出部２４に容易かつ確実に係止させることができる。
【００５８】
また、取付部４２は、それぞれ下枠材２２３に取り付けられる第１取付部材５および第２取付部材６の２つの部材で構成されているため、下枠材２２３に対して容易に取り付けることができる。本実施形態では、下枠材２２３の前側に第１取付部材５を配置して、後側に第２取付部材６を配置し、第１取付部材５と第２取付部材６とを連結すればよいため、１つの部材を変形させながら下枠材２２３に取り付ける場合と比べて、取付部４２を下枠材２２３に容易に取り付けることができる。
【００５９】
以上、本発明による背凭れの実施形態について説明したが、本発明は上記の実施形態に限定されるものではなく、その趣旨を逸脱しない範囲で適宜変更可能である。
例えば、上記の実施形態では、取付部４２は、第１取付部材５と第２取付部材６とを有しているが、第１被係止部６３および第２被係止部５１２を有する１つの部材で構成されていてもよい。
また、上記の実施形態では、オプション部材のランバーサポート４が下枠材２２３に取り付けられる構成であるが、ランバーサポート４以外のヘッドレストやハンガーなどのオプション部材が背凭れ１の枠材に取り付けられる場合に、上記の取付部４２と同様の構成の取付部を用いてもよい。
【００６０】
本実施形態では、オプション部材は、前後方向の前側から後側に向かう方向の荷重を受けるように構成されているが、オプション部材が受ける荷重の方向は面材３の面直方向であれば適宜設定されてよい。
また、上記の実施形態では、オプション部材は、下枠材２２３に取り付けられているが、縦枠材２２１や上枠材２２２に取り付けられていてもよく、縦枠材２２１や上枠材２２２に突出部２４および凹部２５が形成されていてもよい。
【００６１】
また、上記の実施形態では、第１係止部２４ａの突出部２４は、基部２３から上方に向かうに従って漸次前方に向かうように突出している。これに対し、第１係止部２４ａの突出部２４は、基部２３から鉛直方向の上方に向かうように突出していてもよい。
また、上記の実施形態では、第１係止部２４ａおよび第２係止部２５ａは、下枠材２２３の幅方向の中間部に形成されているが、下枠材２２３の幅方向の全体に形成されていてもよいし、下枠材２２３の幅方向の所望の位置に形成されていてもよい。
【符号の説明】
【００６２】
１  背凭れ
３  面材
４  ランバーサポート（オプション部材）
５  第１取付部材
６  第２取付部材
１１  椅子
２３  基部
２４ａ  第１係止部
２５ａ  第２係止部
２７  膨出部
２８  回動拘束面
４１  ランバーサポート本体部（本体部）
４２  取付部
６３  第１被係止部
２２３  下枠材（枠材）
５１２  第２被係止部
６３１  凹部
Ｌ１  軌跡
【図１】
2018174992.tif 000003
【図２】
2018174992.tif 000004
【図３】
2018174992.tif 000005
【図４】
2018174992.tif 000006
【図５】
2018174992.tif 000007
【図６】
2018174992.tif 000008
【図７】
2018174992.tif 000009
【図８】
2018174992.tif 000010
【図９】
2018174992.tif 000011
【図１０】
2018174992.tif 000012
【図１１】
2018174992.tif 000013
【図１２】
2018174992.tif 000014
【図１３】
2018174992.tif 000015
【図１４】
2018174992.tif 000016
【図１５】
2018174992.tif 000017